(57)【要約】データキャリア読み取り装置の設置なしに、案内装置と端末との間のデータの受け渡しができる案内システムが開示されている。この案内システムは、案内装置と、前記案内装置と通信を行なう端末である無線装置とを含む。案内装置において、案内データ生成手段は、無線装置から送信された条件データに基づいて案内データを生成し、通信手段は、案内データを無線装置に送信し、無線装置から条件データを受信する。無線装置は、案内装置において生成された案内データを受信し、条件データを前記案内装置に送信する通信手段を備える。こうして、無線装置は、案内装置が送信した案内データを受信して利用する。
2003027618.tif 000002
【特許請求の範囲】
【請求項１】
案内システムであって、
案内装置と、
前記案内装置と通信を行なう無線装置
とを含み、
前記案内装置は、
前記無線装置から送信された条件データに基づいて案内データを生成する案内データ生成手段と、
前記案内データを前記無線装置に送信し、あるいは前記無線装置から前記条件データを受信する通信手段とを備え、
前記無線装置は、
前記案内装置において生成された前記案内データを受信し、あるいは前記条件データを前記案内装置に送信する通信手段とを備え、
前記案内装置が送信した前記案内データを前記無線装置が受信して利用する案内システム。
【請求項２】
前記案内装置は、位置算出手段を備え、
移動体に搭載あるいは携帯されて、前記移動体の現在位置を検出し、前記無線装置から前記条件データとして目的地を受信したとき、前記目的地までの前記案内データを生成し、前記無線装置に送信する請求の範囲第１項に記載の案内システム。
【請求項３】
前記案内装置は、目的地に到着した時点、および、前記目的地に到着する前の時点の少なくとも一方に、前記無線装置に対し、前記少なくとも一方の時点になった旨のデータを案内データとして送信する手段を有し、
前記無線装置は、前記案内データの受信によって前記少なくとも一方の時点になったことを使用者に知らせる手段を有する請求の範囲第２項に記載の案内システム。
【請求項４】
前記案内装置は、少なくとも２個所の目的地を含む前記条件データを受信したとき、あらかじめ決められた順序に従って前記目的地の巡回を行なう前記案内データを送信する請求の範囲第２項に記載の案内システム。
【請求項５】
前記順序は、前記目的地を巡回する際の合計の経路長が最短となる順序である請求の範囲第４項に記載の案内システム。
【請求項６】
前記案内装置は、前記無線装置が送信した前記条件データ及び前記案内データの少なくとも一方のデータを、出力形式に応じて変換して、出力する出力手段を備えている請求の範囲第１項に記載の案内システム。
【請求項７】
前記無線装置は、
前記案内装置より前記案内データとして、前記案内データの出力形式情報を取得する手段と、
前記案内装置より受信した前記案内データを、前記出力形式情報に従って出力する出力手段と
を備えた請求の範囲第１項に記載の案内システム。
【請求項８】
前記案内装置は、周辺の情報を取得する周辺情報取得手段を備え、前記案内データ生成手段は、取得した前記周辺の情報を加味して、前記案内情報を生成する請求の範囲第１項に記載の案内システム。
【請求項９】
前記無線装置は、
電話の発信、着信ができるように構成された電話通信手段と、
外部機器に有線接続可能な有線接続手段とを有し、
前記無線装置が有する前記条件データは、
前記通信手段を介して前記案内装置からあらかじめ取得したデータおよび
前記電話通信部が基地局と無線電話接続をおこなって前記基地局に接続された通信ネットワークを経由して取得したデータおよび
前記有線接続手段を介して前記外部機器から取得したデータおよび
前記電話通信手段にあらかじめ設定したデータおよび
前記案内情報を記憶する記憶手段にあらかじめ記録保存されているデータ
のうち少なくとも１つより生成されたデータである請求の範囲第１項に記載の案内システム。
【請求項１０】
前記案内装置は、位置算出手段を備え、
移動体に搭載あるいは携帯されて前記移動体の現在位置を検出し、前記無線装置からの前記条件データとして目的地が受信されたとき、前記目的地までの前記案内データを生成し、前記無線装置に送信する請求の範囲第９項に記載の案内システム。
【請求項１１】
前記案内装置は、
前記案内装置によって案内された前記無線装置の所持者に対する費用を前記無線装置に前記案内データとして送信する手段を有し、
前記無線装置は、
受信した前記案内データを、前記通信ネットワークを介して前記費用の課金を行なう通話料金課金センタに送信する手段を有する
請求の範囲第１０項に記載の案内システム。
【請求項１２】
前記無線装置は、過去の使用内容を記憶する記憶手段を有し、
あらたな使用時に前記過去の使用内容を、前記記憶手段より読み出してその読み出した内容を条件データとして、前記案内装置に送信するように構成され、
前記案内装置は、受信した前記条件データの内容によって、割引をした費用を計算する手段を有し、前記割引をした費用を案内データとして前記無線装置に送信する請求の範囲第１１項に記載の案内システム。
【請求項１３】
前記無線装置は、前記通信ネットワークを経由して、または、前記案内装置より前記案内データとして、
前記案内データの出力形式情報を取得する手段と、
前記案内装置より受信した前記案内データを、前記出力形式情報に従って出力する出力手段と
を備えた請求の範囲第９項に記載の案内システム。
【請求項１４】
前記案内装置は、有線接続、あるいは、無線接続により、直接、あるいは、通信ネットワークを経由して、他の案内装置、あるいは、前記案内装置および前記他の案内装置と通信するセンタ装置と通信する第２の通信手段を有し、
前記無線装置より受信した前記条件データに対応する案内データを生成するに際し、前記条件データの少なくとも一部を、前記他の案内装置若しくは前記センタ装置に送信し、
前記他の案内装置、若しくは、前記センタ装置が、受信した条件データに基づいて、第２の案内データを生成して前記案内装置に送り返し、
前記案内装置が、自ら生成した案内データおよび前記他の案内装置若しくは前記センタ装置が生成した前記第２の案内データを、前記無線装置に送信する請求の範囲第９項に記載の案内システム。
【請求項１５】
前記案内装置は、周辺の情報を取得する周辺情報取得手段を備え、
前記案内データ生成手段は、取得した前記周辺の情報を加味して、前記案内情報を生成する請求の範囲第９項に記載の案内システム。
【請求項１６】
無線電話の発信および着信を行う電話通信手段と、
前記電話通信手段が取得したデータを出力形式に応じて変換して出力する出力手段と、
前記出力形式を有し案内を要求する条件データを、案内装置に送信する送信手段と、
前記案内装置から案内データを受信する受信手段と
を備えた
無線装置。
【請求項１７】
無線装置と通信し、案内データを生成する案内装置であって、
前記案内データを生成する為の条件データを、前記無線装置から受信する通信手段と、
前記条件データに基づき生成した前記案内データを、前記通信手段に、前記無線装置に送信させる制御部と
を備える
案内装置。
【発明の詳細な説明】
技術分野
本発明は、地図や経路などの情報により案内を行なう案内装置と、この案内装置とデータの受け渡しを行なう端末とで構成される案内システムに関する。
背景技術
近年、地図や経路などの情報により案内を行なう案内装置と、この案内装置にデータを渡すデータキャリア読み取り装置と、データキャリア読み取り装置にデータを読み込ませるデータキャリアとを備えた案内システムが開示されている。
この案内システムの一例は、携帯可能なデータキャリア内に入力された目的地の位置情報を、案内装置に記憶された地図情報と合わせて案内装置の表示部に表示し、目的地への移動経路を指示するものであった（特開平１０−１４１９７２号）。
このような従来の構成では、データキャリアに記憶されるデータの内容が目的地を示すデータと運送料金のプリペイド機能で、利用が限定されていた。また、データキャリア読み取り装置はデータキャリア所有者が利用しやすい位置に設置され、案内装置にケーブルで接続されなければならないため、データキャリア読み取り装置を設置する場所とコストが求められた。さらに、データキャリア所有者が、データキャリアをデータキャリア読み取り装置に挿入する際に、間違った方向に挿入されることがあり得る。また、データキャリアをデータキャリア読み取り装置に挿入したまま、取り外すのを忘れることがあり得る。また、適合するデータキャリア以外の物がデータキャリア読み取り装置に挿入されることがあり得る。
発明の開示
本発明は、データキャリア読み取り装置を設置しなくても、案内装置と端末との間のデータの受け渡しができる案内システムを提供する。
本発明の案内システムは、案内装置と、前記案内装置と通信を行なう端末である無線装置とを含む案内システムである。案内装置は、案内データ生成手段と通信手段を含む。案内データ生成手段は、無線装置から送信された条件データに基づいて、案内データを生成する。通信手段は、案内データを、無線装置に送信し、あるいは前記無線装置から前記条件データを受信する。
無線装置は、案内装置において生成された案内データを受信し、あるいは条件データを案内装置に送信する通信手段とを備える。こうして、案内装置が送信した案内データを、無線装置が受信して利用する。
上記構成によれば、これにより、データキャリア読み取り装置の設置を必要とせず、無線装置から、多用な条件データを案内装置に通信によって案内装置に渡すことができ、案内装置は多用な条件データに対応した案内データを生成して、通信により無線装置に送信して、無線装置で受信して、利用することができる。
発明を実施するための最良の形態
以下、本発明の実施例について、図面を用いて説明する。
（第１実施例）
図１は、本発明の第１実施例となる案内システムのブロック図である。図２〜図５は、同実施例の動作を説明する流れ図である。
図１に示す案内システムは、タクシーなどの車両に固定的に搭載される案内装置１２と、持ち歩き可能で、公衆の無線電話回線を通して電話をかけることのできる携帯無線電話機などの無線装置１５より構成されている。
案内装置１２は、情報を記憶、保持する記憶部１３０と、機器間通信を行なう狭域通信部１４５と、案内データを生成する制御部１２０と、現在位置データを算出する位置算出部１２５と、データを入力するキー入力部１１７と、案内データを表示する表示部１３５と、案内データを音声や警告音に変換して出力するスピーカ１３３とを備えている。
記憶部１３０は、地図や案内情報やその他の情報を記憶、保持する。狭域通信部１４５は、無線装置１５との間でＢｌｕｅｔｏｏｔｈ信号やＩＥＥＥ８０２規格の様な電波または赤外線通信の様な光通信によって、たとえば、半径３０ｍ程度の近距離で機器間通信を行なう。
制御部１２０は、狭域通信部１４５で受信した無線装置１５からの条件データに基づいて記憶部１３０の情報から案内データを生成する。位置算出部１２５は、現在位置データをＧＰＳ衛星（図示せず）などからの信号により算出する。
表示部１３５は、受信した条件データや生成した案内データを地図形式などに変換して表示する。スピーカ１３３は、受信した条件データや生成した案内データを音声や警告音に変換して出力する。
そして、無線装置１５は、セルラ電話などの電話通信部１５０と、機器間通信を行なう狭域通信部１５５と、情報およびデータを記憶、保持する記憶部１６０と、案内を音、音声で行なうためのスピーカ１６４と、案内データを表示する表示部１６２と、外部機器からデータを取得する有線接続部１６６とを備えている。
電話通信部１５０は、セルラ電話などの無線基地局１８０を通して無線電話通信を行なう。狭域通信部１５５は、案内装置１２との間でＢｌｕｅｔｏｏｔｈ信号やＩＥＥＥ８０２規格の様な電波または赤外線通信の様な光通信によって機器間通信を行なう。さらに、電話通信部１５０は、制御部（図示せず）を含み、この制御部は、無線装置の構成要素の制御や、条件データなどのデータの生成、処理、加工を行なう。
記憶部１６０は、電話通信部１５０が取得した各種情報およびデータを記憶、保持する。スピーカ１６４は、電話の会話音や各種案内を音、音声で行なう。表示部１６２は、案内装置１２から受信した案内データを表示仕様に応じて変換して表示する。有線接続部１６６は、パソコンなどの外部機器と交信して必要なデータを取得する。
基地局１８０は通信ネットワーク１８５を経由して通話料金課金センタ１８２と、進入ルート選定センタ１８７と、情報データベース１９０とに少なくとも接続されている。
通話料金課金センタ１８２は、無線電話の通話料金を課金する。進入ルート選定センタ１８７は、幹線道路からの進入位置および経路情報を生成する。情報データベース１９０は、インターネット検索で参照する情報データベースである。
上記構成において案内システムの動作を説明する。
無線装置１５が条件データを生成する際に必要となるデータの取得方法は複数ある。
（ａ）あらかじめ、無線装置１５と通信可能な案内装置１２やパソコン（図示せず）などから電波または光通信によって狭域通信部１５５または有線接続部１６６を介して取得する。
（ｂ）電話通信部１５０が、基地局１８０と通信ネットワーク１８５を介してインターネット検索で参照する情報データベース１９０や進入ルート選定センタ１８７から取得する。
（ｃ）電話通信部１５０が有するキー（図示せず）の操作により直接入力する。
（ｄ）案内装置１２が送信し、狭域通信部１５５で受信した案内データ。
上記（ａ）〜（ｄ）のうちの少なくとも１つのデータに基づいて電話通信部１５０は条件データを生成する。
例えば、利用者は、タクシーに乗車し、行き先を提示しようとするとき、あらかじめ無線装置１５の記憶部１６０に登録保存している地点リストの中から行き先を、電話通信部１５０が有するキーを操作して選択する（ステップ（以下Ｓと記す）２０１）。
電話通信部１５０は、キー操作によって選択された行き先に対応づけて記憶されている位置データを条件データとする（Ｓ２０３）。生成した条件データを、狭域通信部１５５からタクシーに搭載された案内装置１２の狭域通信部１４５に送信する（Ｓ２０４）。
なお、利用者は、目的地とその位置データを、通信ネットワーク１８５を経由してインターネット検索で情報データベース１９０から取得しても良い。
目的地が、幹線道路から複雑に入り込んだ住宅地域の奥などの場合には、無線装置１５は、条件データとして、目的地の位置データに加えて、最寄り幹線道路からの進入位置の情報や最寄り幹線道路からの経路情報を送る様にしても良い（Ｓ２０２）。
これらの追加情報は次の（ｅ）〜（ｇ）のいずれかの方法で無線装置１５に入力する。
（ｅ）市販されている電子地図やＷｅｂ上の電子地図データを基に、別の機器でそれらの追加情報を生成し、それらを有線接続部１６６を用いて入力するか、
（ｆ）狭域通信部１５５を用いて、他の機器から無線装置１５に入力するか、
（ｇ）通信ネットワーク１８５を用いて、進入ルート選定センタ１８７から取得し、無線装置１５に入力する。
案内装置１２は、制御部１２０の制御により、狭域通信部１４５で受信した条件データに基づいて、記憶部１３０に記録されている情報から予想到着時刻と、目的地までの距離と、目的地までタクシーに乗車した際に支払う見込み料金とを生成し、案内データとする（Ｓ２０５）。表示部１３５は、条件データと案内データとを表示する（Ｓ２０６）。
具体的には、表示部１３５は、案内データと共に、条件データである目的地の位置情報を、記憶部１３０から目的地および周辺の地図データを呼び出し、その地図とともに目的地点のマークもしくは住所情報に出力仕様を変換して、主にタクシー運転手向けに表示する。
次に、狭域通信部１４５は、案内装置１２で生成した案内データを、無線装置１５の狭域通信部１５５に向けて送信する（Ｓ２０７）。
無線装置１５は、条件データと共に、狭域通信部１５５で受信した案内データである予想到着時刻と、目的地までの距離と、見込み料金とを、表示部１６２の表示能力に合うようにデータの仕様を変換して表示し、また、音声信号にも変換してスピーカ１６４から出力する（Ｓ２０８）。
タクシーが目的地に向かって走行をしている間、（ｈ）案内装置１２は、一定時間が経過したか、または、（ｉ）一定距離を走行したかを調べる（Ｓ３０１）。あるいは、（ｊ）案内装置１２は、現時点までの料金や、目的地までの残りの距離や、最新の予想到着時刻を要求する条件データを、無線装置１５から、受信したかを調べる。
（ｈ）〜（ｊ）のいずれかの条件を満たすとき、案内装置１２は、現時点までの料金や、目的地までの残りの距離や、最新の予想到着時刻を案内データとして生成する（Ｓ３０２）。
狭域通信部１４５は、生成された案内データを無線装置１５に送信し（Ｓ３０３）、無線装置１５は狭域通信部１５５で案内データを受信し、受信した案内データを表示部１６２とスピーカ１６４に適合する仕様に変換して出力する（Ｓ３０４）。
タクシーが目的地に到着したら（Ｓ３０５）、案内装置１２は、案内データとして、乗客に到着を知らせるための到着通知と、タクシー会社名と運転手名と乗車日時と、通常現金支払いの場合の料金とを狭域通信部１４５より送信する（Ｓ４０１）。無線装置１５は、案内装置１２から送信された案内データを狭域通信部１５５で受信する。
無線装置１５は、受信した案内データのうちの到着通知と通常料金に基づいて、表示部１６２に到着を知らせる表示と通常現金支払いの場合の料金を表示するとともに、スピーカ１６４により、利用者に対しても到着と通常料金を報知する（Ｓ４０２）。また、無線装置１５は、電話通信部１５０に内蔵された振動器（図示せず）を振動させて到着を知らせる。
さらに、案内装置１２は、目的地への到着予定のたとえば２分前や５００ｍ前に、到着予告報知を案内データとして送信し、無線装置１５は、この到着予告報知の案内データを受信し、この到着予告を表示、音、振動で知らせるようにしても良い。無線装置１５は、音や振動により報知することにより、寝ている利用者に対しても到着を知らせることができる。
次に、無線装置１５は受信した案内データ内のタクシー会社名を照合して、同一タクシー会社における車両の過去の乗車記録（日時や回数）を表示部１６２に表示する。
利用者は、表示された過去の乗車記録を参照し、現金かクレジットカードか無線電話料金への振り替え支払いかの支払い方法選択およびタクシーの利用回数等によって料金の割引サービスを行なう割引クーポン利用の有無を、電話通信部１５０のボタンにより入力する（Ｓ４０３）。
無線装置１５は、入力された支払い方法、割引クーポン利用の有無および同一タクシー会社における車両の過去の乗車記録を条件データとして案内装置１２に送信する（Ｓ４０４）。無線装置１５は、タクシー会社名と運転手名と乗車日時とを、タクシーへの忘れ物やクレーム発生の場合に備えて、記憶部１６０に記録する。
案内装置１２は、無線装置１５より送られてきた条件データに基づき、最終的に今回支払うべ正式料金を制御部１２０で計算し、その結果を案内データとして無線装置１５に送信する（Ｓ４０５）。
無線装置１５は案内装置１２より送信された案内データを受信し、利用者は、受信した案内データを、表示部１６２で確認する（Ｓ４０６）。現金または小切手支払いであれば、利用者は、表示部１６２に表示された分の現金または小切手をタクシーの運転手に渡す。クレジットカード支払いであれば、利用者は、カードを運転手に渡してカード処理装置（図示せず）により支払い手続きをする（Ｓ５０１）。
無線電話料金への振り替え支払いの場合は、電話通信部１５０が基地局１８０に対して発呼し、通信ネットワーク１８５を経由して通話料金課金センタ１８２を呼び出し、タクシー代金支払いの手続きを行なう（Ｓ５０２）。
通話料金課金センタ１８２は、タクシー代金支払いの手続きを受け付け、その処理を完了すると受け付け完了データを電話通信部１５０に送信する（Ｓ５０３）。
電話通信部１５０は、受信した受け付け完了データを条件データとして、狭域通信部１５５から案内装置１２に送信する（Ｓ５０４）。
案内装置１２は、受信した条件データにより、料金支払い完了の確認を行なう（Ｓ５０５）。
以上の様に、本実施例では、案内装置１２と、端末である無線装置１５とをケーブルで接続することなく、無線装置１５から狭域通信で、タクシーに固定的に搭載した案内装置１２に、次の条件データを適宜送信する。
その条件データは、目的地の位置データや、最寄りの幹線道路からの進入位置や、最寄りの幹線道路からの経路や、過去の同一タクシー会社車両乗車記録や、支払い方法や、割引クーポン利用有無や、受け付け完了データである。
一方、案内装置１２は、受信した条件データに対応して、無線装置１５に案内データとして、予想到着時刻や、見込み料金や、目的地までの残りの距離や、現在の料金や、到着通知や、タクシー会社名と運転手名と乗車日時や、通常現金支払い時の料金や正式料金を適宜送信する。
したがって、タクシーに搭載された案内装置１２は、目的地や目的地への進入ルートや、タクシー会社車両乗車記録が的確に判るという効果を有する。また、無線装置１５は、予測到着時刻や、見込み料金や、目的地までの残距離や、現在料金や、到着通知や、タクシー会社名と運転手名と乗車日時や、通常現金支払い時の料金や割引クーポンの利用などを加味した正式料金などを逐次、表示部１６２やスピーカ１６４や振動器で利用者に知らせる事ができる。
なお、上記の実施例では、車両をタクシーの場合で説明したが、本発明は、タクシーの場合に限定されることなく、宅配便集荷車両や、空港や駅などからホテルや自宅などに送り届けてもらえる乗合自動車や、空港ターミナル内の乗合自動車などの車両でも適用できる。
また、条件データおよび案内データもタクシーの場合で説明したが、本発明はこれらに限定されることなく、宅配便集荷車両や、空港や駅などからホテルや家などに順次送り届けてもらえる乗合自動車や、空港ターミナル内での人の輸送サービスを行なう乗合自動車でも同様に適用できる。
宅配便集荷車両の場合の条件データは、物品の送付先の宛名や、送付先の住所や、送付先の電話番号や、配達指定時刻や、送り主の氏名、送り虫の住所や、送り主の電話番号でもよい。一方、宅配便集荷車両の場合の案内データは、料金や、問い合わせ番号でもよい。
また、空港や駅などからホテルや家などに順次送り届けてもらえる乗合自動車の場合の条件データは、ホテル名や、住所でもよい。空港や駅などからホテルや家などに送り届けてもらえる乗合自動車の場合の案内データは、タクシーの場合の案内データに加えて、さらに、合計の経路長が最短となる立ち寄り順路として、目的地の巡回を無駄なく行なうことができる。
また、空港ターミナル内での人の輸送サービスを行なう乗合自動車の場合の条件データは、飛行機会社名や、便名でもよく、案内データは、ターミナル番号や、ゲート番号でもよい。
また、本実施例では、タクシーに乗車してからの場合で説明したが、本発明は乗車してからに限定されることなく、タクシーを拾いたい場合でもよい。タクシーを拾いたい場合に、無線装置１５は、条件データとして目的地の位置データや、希望タクシー会社名を、無線装置１５の狭域通信部１５５から、無線装置１５の電源消費を低減する目的で間欠的に、道路に向けて送信する。
そして、無線装置１５から間欠的に送信された条件データを、走行中のタクシーの案内装置１２が受信して、条件に適合する場合には制御部１２０がタクシー車両番号を含む適合信号を案内データとして生成し、狭域通信部１４５が送信する。
次に、無線装置１５が案内データを受信し、受信した案内データから適合するタクシー車両をタクシー会社名および車両番号により認知するようにしても同様の効果が得られる。
また、無線装置については、一般の無線電話回線を通して電話をかけることのできる携帯無線電話機の場合で説明した。本発明はこれらの携帯無線電話機に限定されることなく、業務用無線機、簡易無線機、パーソナル無線機、ＭＣＡ（Ｍｕｌｔｉ−ｃｈａｎｎｅｌ  ａｃｃｅｓｓ）無線機、デジタルＭＣＡ無線機などの無線装置でも適用できる。
（第２実施例）
本発明の第２実施例における案内システムは、案内装置１２を路線バスの車両に対して固定的に搭載するように構成したものである。したがって、以下、第１実施例と同一なところの説明は省略し、異なる点を中心にその詳細な動作を説明する。
図６〜図８は、本実施例における案内システムの動作を説明する概略流れ図である。
無線装置１５を携帯する利用者が、バスに乗車し目的地を提示するとき、電話通信部１５０のキーを操作し、あらかじめ無線装置１５の記憶部１６０に登録保存している地点リストの中から目的地を選択する（Ｓ６０１）。
無線装置１５は、選択された目的地に対応づけて記憶されている位置データを、狭域通信部１５５から条件データとして（Ｓ６０２）バスに搭載された案内装置１２の狭域通信部１４５に送信する（Ｓ６０３）。
目的地とその位置データは、電話通信部１５０が基地局１８０と通信し、通信ネットワーク１８５を経由してインターネット検索で情報データベース１９０にある建物・住所案内からその位置データを取得しても良い。
案内装置１２は、狭域通信部１４５で受信した条件データに基づいて、記憶部１３０に記録されている地図情報および路線情報から案内データを生成する（Ｓ６０４）。
生成した案内データは、目的地に最寄りの停留所名と、乗換えが必要であればその乗り換え停留所名と路線名と路線番号といった路線情報と、予想到着時刻と、目的地までの停留所の数と、料金とである。
次に、生成した案内データを、狭域通信部１４５から無線装置１５の狭域通信部１５５に向けて送信する（Ｓ６０５）。無線装置１５は、受信した案内データを、条件データと共に、表示部１６２の表示能力に合うようにデータの仕様を変換して表示するとともに、音声信号にも変換してスピーカ１６４から出力する（Ｓ６０６）。
バスが走行している間、案内装置１２は現在のバス情報を要求する条件データの受信の有無を調べる（Ｓ６０７）。無線装置１５は、現在のバス情報を入手したいとき、現在のバス情報要求を条件データを生成し（Ｓ７０１）、その条件データを案内装置１２に送信する（Ｓ７０２）。
そして、案内装置１２が、無線装置１５から現在のバス情報を要求する条件データを受信したときに、次の停留所名や、乗り換えが必要であれば乗り換え停留所名と路線案内や、目的地に最寄りの停留所名や、現在の到着予定時刻や、現在の目的地までの停留所の数や料金を案内データとして生成する（Ｓ７０３）。
案内装置１２は、生成した案内データを、狭域通信部１４５から無線装置１５に送信する（Ｓ７０４）。無線装置１５は、狭域通信部１５５でそれを受信し、表示部１６２の表示能力に応じてデータの形式を変換して表示し、さらに音声信号に変換してスピーカ１６４から出力する（Ｓ７０５）。
バスが乗り換えまたは最寄りの停留所に到着すると（Ｓ７０６）、案内装置１２は、乗客に到着を知らせるための到着通知と、停留所名と、乗り換えが必要であれば乗り換え路線案内と、料金とを案内データとして狭域通信部１４５より送信する（Ｓ８０１）。
無線装置１５は、狭域通信部１５５で受信した案内装置１２からの案内データの内、到着通知と料金により、表示部１６２に到着と料金を知らせる表示をするとともに、スピーカ１６４により、寝ている利用者に対しても到着と通常料金を報知する（Ｓ８０２）。また、無線装置１５は、電話通信部１５０に内蔵された振動器を振動して到着を報知する。
さらに、案内装置１２は、乗り換えまたは最寄りの停留所の１つ手前の停留所に到着したときに、到着予告報知を案内データとして送信しても良い。無線装置１５は、この到着予告報知の案内データによって到着予告を表示、音、振動で報知するようにしても良い。
利用者は、案内装置１２より送信された案内データを無線装置１５の表示部１６２で確認し、現金または回数券で支払うか、定期券を提示してバスを降車する（Ｓ８０３）。
以上の様に、無線装置から狭域通信で路線バスに固定的に搭載した案内装置に、目的地の位置データや、現在のバス情報要求を条件データとして送信する。
一方、案内装置は、受信した条件データに対応して、無線装置に、目的地に最寄りの停留所名や、乗換えが必要な場合は乗り換え停留所名と路線案内や、予測到着時刻や、料金や、目的地までの停留所の数や、到着通知を案内データとして適宜送信する。
よって、無線装置は目的地に最寄りの停留所名や、乗換えが必要な場合は乗り換え停留所名と路線案内や、予測到着時刻や、料金や、目的地までの停留所の数や、到着通知などを逐次、表示部やスピーカや振動器で利用者に知らせる事ができる。
（第３実施例）
本発明の第３実施例における案内システムは、案内装置１２を鉄道会社の駅構内ならびに周辺エリアで、荷物の運搬の手助けをする赤帽が携帯するかまたは荷物搬送用の台車に対して固定的に、あるいは取り外し可能にして搭載するように構成し、無線装置１５とデータの交換を行なう。
以下、本発明の第３実施例を、第１実施例と同一なところの説明は省略し、異なる点を中心にその詳細な動作を説明する。
図９は本実施例における案内システムの概略ブロック図である。図１０から図１２は、同実施の形態の動作を説明する概略流れ図である。
図９において、無線装置１５は、電話通信部１５０に内蔵するマイク（図示せず）から入力された音声を、認識して文字データに変換する音声認識部１６８を有している。
案内装置１２は、赤帽（図示せず）が携帯するかまたは荷物搬送用の台車（図示せず）に対して固定的に、あるいは取り外し可能にして搭載されている。
次に、図９〜図１２を用いて本実施例における案内システムの動作を説明する。
利用者が、駅前から、あらかじめ切符を入手してある列車に乗りたいとき、あらかじめ、あるいはその場で無線装置１５の電話通信部１５０に内蔵されているマイク（図示せず）に向けて、音声で列車番号と、車両番号と、座席番号と、荷物の個数を入力する（Ｓ１００１）。音声認識部１６８は、入力されたそれらの音声信号を文字データに逐次変換し、電話通信部１５０に送り返す（Ｓ１００２）。
電話通信部１５０は列車番号と、車両番号と、座席番号と、荷物の個数を条件データとして生成し（Ｓ１００３）、狭域通信部１５５より間欠的に送信する（Ｓ１００４）。
無線装置１５と通信可能な範囲にいて、先の条件データを受信した案内装置の内、客待ち状態の案内装置１２は、各赤帽従業員を識別可能な赤帽ＩＤと、列車番号と、プラットホーム番号と、予想移動時間と、料金とを案内データとして生成する（Ｓ１００５）。
案内装置１２は、生成した案内データを条件データとともに表示部１３５に表示し、スピーカ１３３からは音声に変換して出力する（Ｓ１００６）。
次に、案内装置１２は、生成した赤帽ＩＤと、列車番号と、プラットホーム番号と、予想移動時間と、料金とによる案内データを無線装置１５に向けて送信する（Ｓ１００７）。
無線装置１５は、受信した案内データを表示部１６２の表示能力に応じて形式変換して表示し、また、受信した案内データを音声信号に変換してスピーカ１６４から出力する（Ｓ１００８）。
無線装置１５が、複数の案内装置１２から案内データを受信した場合は、受信したそれぞれの案内データを比較して、サービスを希望する赤帽を選定し、依頼する赤帽ＩＤと、サービスを依頼することとを内容とする条件データを生成して送信する（Ｓ１１０１）。
サービス依頼を受け取った案内装置１２は、サービス開始を案内データとして送信し、赤帽は荷物の搬送と、希望があれば利用者の案内とを開始する（Ｓ１１０２）。赤帽は荷物の運搬無しに、利用者の道案内のみを行なっても良い。
無線装置１５は、現在状況通知の入手を希望するとき、現在状況通知要求を条件データとして生成して送信する（Ｓ１１０３）。案内装置１２は、現在状況通知要求を条件データとして受信すると、目的列車に到着までの残り予想移動時間を案内データとして生成して（Ｓ１１０４）送信する（Ｓ１１０５）。
無線装置１５は、受信した案内データを表示部１６２に表示ならびにスピーカ１６４に音声信号にて出力する（Ｓ１１０６）。
案内装置１２は、目的列車に到着すると（Ｓ１１０７）、到着通知と、赤帽会社名と、赤帽担当者名と、利用日時と、料金とを案内データとして生成し、送信する（Ｓ１２０１）。
無線装置１５は、受信した案内データを表示部１６２で表示し、音声信号に変換してスピーカ１６４から出力し（Ｓ１２０２）、赤帽会社名と、赤帽担当者名と、利用日時と、料金など後日必要と思われるデータは記憶部１６０に記録する。無線装置１５を所有する利用者は、現金で料金を支払う（Ｓ１２０３）。
以上の様に、無線装置は、狭域通信で、駅構内または周辺の赤帽が携帯した案内装置に、乗車する列車番号や、車両番号や、座席番号や、荷物の個数を条件データとして送信する。
一方、案内装置は、受信した条件データに対応して、無線装置に、赤帽ＩＤや、列車番号や、プラットホーム番号や、予測移動時間や、料金や、赤帽会社名と赤帽者名と利用日時や、到着通知を案内データとして適宜送信する。
よって、大きな駅での赤帽の容易な発見や、列車番号に対するプラットホーム番号の案内や、目の不自由な人の列車への案内などを、荷物の運搬と同じに、逐次、表示部やスピーカで利用者に知らせることができる。
なお、上記の実施例では、駅における赤帽の場合で説明したが、本発明は、赤帽の場合に限定されることなく、空港において荷物を搬送するポーターや、ホテルにおいてもっぱら荷物をチェックインカウンターから客室まで運搬するベルキャプテンなどが携帯するか、運搬用台車に搭載しても同様に適用できる。
また、料金の支払いは現金の場合で説明したが、第１の実施の形態と同様に、本実施の形態は、小切手やクレジットカードや無線電話会社での通話料金への振り替え支払いでも同様に適用できる。
（第４実施例）
本発明の第４実施例における案内システムは、案内装置１２をテーマパークの、もっぱら案内デスクに対して固定的に設置するように構成したものである。
以下、本発明の第４実施例を、第１実施例と同一なところの説明は省略し、異なる点を中心にその詳細な動作を説明する。
図１３および１４は、同実施の形態の動作を説明する概略流れ図である。図１３および１４を用いて、本実施例における案内システムの動作を説明する。
利用者は、テーマパーク内の目的の催し会場へ行く経路を知りたいとき、テーマパーク会場にある最寄りの案内デスクに設けられた案内端末の近くに立つ（Ｓ１３０１）。
図１３中にＡで示す場合、無線装置１５の電話通信部１５０は基地局１８０と電話接続し、通信ネットワーク１８５からインターネット接続にて当該テーマパーク主催のサイトにアクセスする（Ｓ１３０２）。
無線装置１５は、案内データを表示部１６２およびスピーカ１６４で出力するときの出力形式の情報を、当該テーマパーク主催のサイトからダウンロードする（Ｓ１３０４）。
対象となる案内データは、テーマパークの建物や通行路に関する位置認識方法を示すプログラムや、催し会場の名称と経度緯度といったデータのデータフォーマットである。
次に、図１３中に“Ｂ”で示す場合には、無線装置１５は、テーマパークに関する案内データを無線装置１５の表示部１６２およびスピーカ１６４で出力するときの出力形式情報を要求する条件データを生成し、狭域通信部１５５からその条件データを案内装置１２に送信する（Ｓ１３０３）。
案内装置１２は、無線装置１５から送信された条件データを受信し、その内容に基づいて、出力形式情報を案内データとして生成し、狭域通信部１４５から無線装置１５に送信する（Ｓ１３０５）。
無線装置１５は、図１３中に“Ａ”あるいは“Ｂ”で示すいずれかの方法で出力形式情報を取得すると、次に、目的地である催し会場の名称を出力形式情報から選択し（Ｓ１３０６）、条件データを生成する（Ｓ１３０７）。そして、生成した条件データを案内装置１２に向けて送信する（Ｓ１４０１）。
案内装置１２の狭域通信部１４５が条件データを受信すると、その内容に基づいて、制御部１２０が、あらかじめ設定されている案内デスクの位置情報と、受信した条件データと、記憶部１３０の蓄積情報とにより、案内デスクから催し会場への経路検索を行なう（Ｓ１４０２）。
案内装置１２は、経路探索結果と経路上の他の催し会場情報を案内データとして生成し（Ｓ１４０３）、その案内データを無線装置１５に向けて送信する（Ｓ１４０４）。
無線装置１５は、その案内データを受信し、あらかじめ取得した出力形式情報にしたがって、経路案内を開始する（Ｓ１４０５）。
無線装置１５は、経路の進行に従って、順次、表示部１６２、あるいはスピーカ１６４で経路案内を出力し、利用者は、経路案内に従って、目的の催し会場、または途中の催し会場に立寄ることができる（Ｓ１４０６）。
以上の様に、本実施例では、無線装置は、狭域通信で、案内デスクに固定的に設置した案内装置に、目的の催し会場名を条件データとして送信するのに先立ち、無線装置の表示部およびスピーカで出力するときの出力形式情報を次の二つのいずれかの方法で取得する。
その出力形式情報を取得する方法は、（ｋ）通信ネットワーク１８５を経由してインターネット上のテーマパーク主催のサイトからダウンロードするか、または、（ｌ）案内装置に要求して案内データとしてである。
その出力形式情報は、テーマパークに関する位置認識方法を示すプログラムや位置名称と経度緯度といったデータのデータフォーマットといった案内データを、無線装置の表示部およびスピーカで出力するときの出力形式情報である。
案内装置は、受信した条件データに対応して、案内デスクから催し会場までの経路探索結果や、経路上の他の催し情報を案内データとして送信する。
したがって、無線装置は、テーマパークの案内情報の出力形式が異なっていても、その案内を正しく出力することができ、汎用性のある案内システムを提供することができる。
なお、上記の実施例では、テーマパークの案内デスクに設置した案内装置の場合で説明したが、本発明は、テーマパークの場合に限定されることはない。
案内装置を、駅や、バスターミナルや、空港や、ホテルや、デパートにおいてもっぱら構内のプラットホームや、バスの路線名と乗車位置、空港の搭乗ゲートなどへの経路の案内をおこなう案内デスクに設置する場合にも、本発明は適用できる。
（第５実施例）
本発明の第５実施例における案内システムは、第１ないし第４実施例の案内システムの複合体であり、それぞれの案内装置が有線または無線で、直接もしくは通信ネットワークを介してセンタ装置と通信する様に構成したものである。
以下、本発明の第５実施例における案内システムについて、第１実施例と同一なところの説明は省略し、異なる点を中心にその詳細な動作を説明する。
図１５は本実施例における案内システムの概略ブロック図である。
図１５において、無線装置１５を使用する利用者は、自宅２２０の近くの道路で、予め設定した条件データを間欠的に送信する。
タクシー２３０は、案内装置２１２を搭載しており、その案内装置２１２は、無線装置１５と狭域通信する。さらに、案内装置２１２は、第２の通信手段を有し（図示せず）、
タクシー基地局２４０、ならびに、通信ネットワーク２８５を介して、センタ装置２００とも通信する。
赤帽３３０は、駅３５０の構内またはその付近にいて、無線装置１５と狭域通信可能な案内装置３１２を携帯しており、案内装置３１２は赤帽基地局３４０と有線で直接的に接続されたセンタ装置２００とも通信する第２の通信手段を有する（図示せず）。
案内装置４１２は、列車４３０に搭載されていて、無線装置１５と狭域交信可能で、さらに、列車基地局４４０と通信ネットワーク２８５を介して、センタ装置２００とも通信する第２の通信手段を有する（図示せず）。
案内装置５１２は、駅５５０の案内デスク（図示せず）に設置されていて、無線装置１５と狭域交信可能で、通信ネットワーク２８５を介して、センタ装置２００とも通信する第２の通信手段を有し（図示せず）、さらに、周辺情報取得手段である出札口検知部５５１、５５２の出札混雑データも取得する。
案内装置６１２は、リムジンバス６３０に搭載されていて、無線装置１５と狭域通信可能で、さらに、リムジンバス基地局６４０と通信ネットワーク２８５を介して、センタ装置２００とも通信する第２の通信手段を有する（図示せず）。
同様に、案内装置７１２は、テーマパーク７５０の案内デスク７２０に設置されていて、無線装置１５と狭域通信可能で、さらに、通信ネットワーク２８５を介して、センタ装置２００とも通信する第２の通信手段を有する（図示せず）。
無線装置１５の利用者の目的地は、催し会場７３０である。
次に、図１５を用いて本実施例における案内システムの動作を説明する。
無線装置１５の利用者は、無線装置１５を操作して、第１の目的地である駅３５０と、利用希望タクシー会社名を選択し、それらで条件データを生成して、間欠的に送信する。
タクシー２３０に搭載された案内装置２１２は、条件データを受信すると、その内容を解析し、条件に適合していればタクシー車両番号を含む適合信号を案内データとして送信する。
無線装置１５は、受信した案内データから、適合するタクシー２３０を承認し、タクシー２３０は、無線装置１５の利用者を搭乗させる為に停車する。
無線装置１５の利用者は、タクシー２３０に乗車したら、予め登録しておいた各種データの中から適切なデータを無線装置１５を操作して選択し、条件データを生成して、案内装置２１２に向けて送信する。
ここで条件データを生成するために選択されたデータは、
（ｍ）第１の行き先である駅３５０と、
（ｎ）赤帽の依頼と、
（ｏ）荷物の個数と、
（ｐ）乗車券を購入済みの列車４３０の列車番号と車両番号と座席番号と降車駅である駅５５０と、
（ｑ）目的地名であるテーマパーク７５０と、
（ｒ）同行人数と、
（ｓ）予約に対する支払い方法は無線電話料金への振り替え支払いと、
（ｔ）無線装置１５の電話番号であったとする。
案内装置２１２は、受信した条件データに基づいて、
（ｕ）第１の行き先に対する予想到着時刻と、
（ｖ）駅３５０までの距離と、
（ｗ）見込み料金とを案内データとして生成し、
無線装置１５に送信する。
案内装置２１２は、案内データを自ら生成するための情報を有していない条件データについては、その条件データをタクシー基地局２４０と通信ネットワーク２８５を介して、センタ装置２００に送信する。
センタ装置２００は、受信した条件データを解析し、順次処理を行なう。
まず、センタ装置２００は、赤帽３３０が携帯する案内装置３１２へ、
（ｘ）駅３５０への到着予定時刻と、
（ｙ）荷物の個数と、
（ｚ）搭乗する列車４３０の列車番号と車両番号と座席番号と、
（ａａ）無線装置１５の電話番号と
を条件データとして送信する。
そして、案内装置３１２は予約の受け付けが可能であれば、赤帽ＩＤと、料金とを案内データとして生成し、赤帽基地局３４０を介して、センタ装置２００に送信し、センタ装置は受信した案内データを通信ネットワーク２８５とタクシー基地局２４０を介して、案内装置２１２に送信する。
次に、センタ装置２００は、必要な経路探索を行ない、列車４３０の駅５５０への到着時刻と同行人数より、結果として、駅５５０からテーマパーク７５０まではリムジンバス路線を利用する選択をすると、センタ装置２００は、次にリムジンバス６３０の予約データベース（図示せず）を検索する。
そして、センタ装置２００は、予約データベールに登録すると共に、無線装置１５が必要とする案内データを生成する。
センタ装置２００は、条件データとセンタ装置２００で生成した案内データとを、通信ネットワーク２８５とリムジンバス基地局６４０とを介して、リムジンバス６３０に搭載された案内装置６１２へ送信する。
センタ装置２００は、センタ２００で経路探索をして得られた
（ｂｂ）リムジンバスの会社名と、
（ｃｃ）路線名と、
（ｄｄ）降車停留所名であるテーマパーク７５０と、
（ｅｅ）予約内容である予約ＩＤと、
（ｆｆ）料金と、
（ｇｇ）駅５５０の出発時刻と、
（ｈｈ）テーマパーク７５０への到着予定時刻と
を案内データとして、通信ネットワーク２８５とタクシー基地局２４０とを介して、タクシー２３０に搭載の案内装置２１２に送信する。
案内装置２１２は、センタ装置２００から受信した案内データおよび、自らが生成する最新の案内データを、適宜狭域通信で送信し、無線装置１５は、それらの案内データを受信し、利用者に対して表示および音声で出力する。
利用者を乗せたタクシー２３０が駅３５０に到着し、利用者は、降車場所でタクシー２３０を降りる。さきにタクシー内から予約をした赤帽３３０は、駅３５０に到着予定の時間に降車場所付近に来ており、無線装置１５から、狭域通信で間欠的に案内装置３１２を呼び出す条件データを送信し、赤帽３３０と合流する。
赤帽３３０は、先に連絡を受けている条件データにより、荷物を台車に載せて、搭乗予定の列車４３０が入線するプラットホームの乗車最適位置に運搬する。
次に、利用者が列車４３０に乗車すると、利用者の操作により、無線装置１５は、案内装置４１２に、狭域通信で降車駅名を条件データとして送信する。
案内装置４１２は、降車駅５５０に近付いたら無線装置１５に、降車の準備を知らせる案内データを送信し、案内データを受信した無線装置１５は、列車内を認識して、スピーカによる案内はせず、文字の表示と振動にて降車準備を利用者に知らせる。
利用者が、駅５５０に到着すると、駅構内の案内デスクに設置された案内装置５１２に、狭域通信で乗車予定のリムジンバスに関するデータを条件データとして送信する。
条件データを受信した案内装置５１２は、リムジンバス６３０が出発するバスの停留所までの経路を、周辺情報取得手段である出札口検知部５５１、５５２で検知した出札混雑データからそれぞれの出札所要時間といった駅構内や駅周辺のデータと共に案内する。
利用者が、バスの停留所に最短時間で行ける出札口を通って、バスの停留所で、リムジンバス６３０に搭乗するとき、無線装置１５から、予約ＩＤを条件データとして送信し、案内装置６１２は、受信した予約ＩＤと先に予約された予約ＩＤとが一致すればリムジンバス６３０への乗車を許可する。
利用者を乗せたリムジンバス６３０が、テーマパーク７５０に近付くと、案内装置６１２は、到着予告を案内データとして無線装置１５に送信し、到着すると、利用者は降車する。
テーマパーク７５０では、無線装置１５は、案内デスク７２０に設置された案内装置７１２に、まず、出力形式情報の送信を要求し、案内装置７１２よりそれを受信する。
次に、利用者は、無線装置１５で、目的地である催し会場７３０を選択し、条件データとして送信し、これを受信した案内装置７１２は、経路探索を行い、案内データを生成して送信し、無線装置１５は、それを受信して利用者を催し会場７３０に案内する。
以上の様に、本実施例では、１つの案内装置が受信した条件データを他の案内装置やセンタ装置に転送でき、センタ装置は、複数の案内装置をまたがる様な経路探索をして、その結果に対応する処理（たとえば、予約）を行い、結果を案内データとして生成する。
さらに、センタ装置は、他の案内装置に、生成した案内データを条件データとして送信し、他の案内装置は受信した条件データに対応する案内データを生成し、送信する。
センタ装置はその案内データを受信し、最初に条件データを受信した案内装置に送信する。
案内装置は自ら生成した案内データならびに、他の案内装置やセンタ装置が生成した案内データを、無線装置に送信する。
この様なことができるので、乗り物を乗り継いで目的地に移動するときなど、案内装置が、無線装置から受信した条件データの範囲が、案内装置がカバーするサービス範囲を越えていても、受信した条件データを他の案内装置またはセンタ装置に転送して、第２の案内データを生成してもらい、自ら生成した案内データと共に無線装置に送信するので、無線装置が狭域通信する案内装置のサービス範囲に限定されることなく、利用者に役立つ案内を提供することができるという効果を有する。
なお、上記の実施例では、自宅近くからタクシーの利用と、赤帽の利用と、列車の利用と、リムジンバスの利用と、テーマパークへの案内と、センタで経路検索を行なう場合で説明したが、本発明は、これらに限定されることはない。
本発明は、他の運搬手段や、他の場所や、センタ装置を介することなく、他の案内装置が条件データに対する案内データを生成する場合にも適用できる。
産業上の利用可能性
以上のように、本発明は無線装置から送信された条件データに基づいて、案内装置が案内データを生成して無線装置に送信し、無線装置がそれを受信して利用可能とする案内システムに有用である。
本案内システムは、データキャリア読み取り装置の設置を必要とせず、無線装置から、多用な条件データを案内装置に送信し、案内装置は、多用な条件データに対応した案内データを生成して無線装置に送信して、無線装置でその案内データを受信して、利用するのに適している。
【図面の簡単な説明】
図１は本発明の第１実施例における案内システムの具体構成を示すブロック図である。
図２は同案内システムの動作を説明する流れ図である。
図３は同案内システムの動作を説明する流れ図である。
図４は同案内システムの動作を説明する流れ図である。
図５は同案内システムの動作を説明する流れ図である。
図６は本発明の第２実施例における案内システムの動作を説明する流れ図である。
図７は同案内システムの動作を説明する流れ図である。
図８は同案内システムの動作を説明する流れ図である。
図９は本発明の第３実施例における案内システムの具体構成を示すブロック図である。
図１０は同案内システムの動作を説明する流れ図である。
図１１は同案内システムの動作を説明する流れ図である。
図１２は同案内システムの動作を説明する流れ図である。
図１３は本発明の第４実施例における案内システムの動作を説明する流れ図である。
図１４は同案内システムの動作を説明する流れ図である。
図１５は本発明の第５実施例における案内システムの具体構成を示すブロック図である。
2003027618.tif 000003
2003027618.tif 000004
【図１】
2003027618.tif 000005
【図２】
2003027618.tif 000006
【図３】
2003027618.tif 000007
【図４】
2003027618.tif 000008
【図５】
2003027618.tif 000009
【図６】
2003027618.tif 000010
【図７】
2003027618.tif 000011
【図８】
2003027618.tif 000012
【図９】
2003027618.tif 000013
【図１０】
2003027618.tif 000014
【図１１】
2003027618.tif 000015
【図１２】
2003027618.tif 000016
【図１３】
2003027618.tif 000017
【図１４】
2003027618.tif 000018
【図１５】
2003027618.tif 000019
【手続補正書】
【提出日】平成15年8月7日(2003.8.7)
【手続補正１】
【補正対象書類名】特許請求の範囲
【補正対象項目名】請求項１
【補正方法】変更
【補正の内容】
【請求項１】
案内システムであって、
案内装置と、
前記案内装置と狭域通信を行なう無線装置
とを含み、
前記案内装置は、
前記無線装置から送信された条件データに基づいて案内データを生成する案内データ生成手段と、
前記案内データを前記無線装置に送信し、あるいは前記無線装置から前記条件データを受信する通信手段とを備え、
前記無線装置は、
前記案内装置において生成された前記案内データを受信し、あるいは前記条件データを前記案内装置に送信する通信手段とを備え、
前記無線装置が前記案内データの生成を要求する前記条件データを前記案内装置に送信し、前記案内装置が受信した前記条件データに基づいて生成し送信した前記案内データを前記無線装置が受信して利用する案内システム。
【手続補正２】
【補正対象書類名】特許請求の範囲
【補正対象項目名】請求項３
【補正方法】変更
【補正の内容】
【請求項３】
前記案内装置は、目的地に到着した時点、および、前記目的地に到着する前の時点の少なくとも一方に、前記無線装置に対し、前記少なくとも一方の時点になった旨のデータを案内データとして送信する手段を有し、
前記無線装置は、前記案内データの受信によって前記少なくとも一方の時点になったことを、音と振動の少なくとも一方により使用者に知らせる手段を有する請求の範囲第２項に記載の案内システム。
【手続補正３】
【補正対象書類名】特許請求の範囲
【補正対象項目名】請求項１６
【補正方法】変更
【補正の内容】
【請求項１６】
無線電話の発信および着信を行う電話通信手段と、
前記電話通信手段が取得したデータを出力形式に応じて変換して出力する出力手段と、
前記出力形式を有し案内データの生成を要求する条件データを、案内装置に狭域通信により送信する送信手段と、
前記案内装置から前記案内データを前記狭域通信により受信する受信手段と
を備え、
前記案内装置が送信した前記案内データを受信して利用する無線装置。
【手続補正４】
【補正対象書類名】特許請求の範囲
【補正対象項目名】請求項１７
【補正方法】変更
【補正の内容】
【請求項１７】
無線装置と狭域通信し、前記無線装置の要求により案内データを生成する案内装置であって、
前記案内データを生成する為の条件データを、前記無線装置から受信する通信手段と、
前記条件データに基づき生成した前記案内データを、前記通信手段から、前記無線装置に送信させる制御部と
を備える
案内装置。
【国際調査報告】
2003027618.tif 000020
2003027618.tif 000021
2003027618.tif 000022
2003027618.tif 000023